(57)【要約】【課題】コンタクトホール部分の露光と反射板間の露光とを同時に行うことができるようにした露光用マスク及びこの露光用マスクを用いた反射部を備えた液晶表示パネルの製造方法を提供すること。【解決手段】本発明の露光用マスク１ａは、本発明の露光用マスク１ａは、作製すべき液晶表示パネルの行方向に隣接する２画素分の反射板形成領域を一体に覆う大きさを有するとともにそれぞれの画素に対応する２個のコンタクトホール形成用開口５ａ１及び５ａ２を備えた反射板形成用遮光部２ａが、行方向及び列方向にそれぞれ所定間隔Ｌ２及びＬ５ずつ隔てられて複数個が整列配置されていることを特徴とする。この露光用マスク１ａを用いて所定位置で１回目の露光を行った後、１画素分行方向にずらして２回目の露光を行うと、コンタクトホール内のフォトレジストは２回露光されるため、完全に露光することができる。【選択図】  図１
2007279102.tif 000002
【特許請求の範囲】
【請求項１】
作製すべき液晶表示パネルの行方向に隣接する２画素分の反射板形成領域を一体に覆う
大きさを有するとともにそれぞれの画素に対応するコンタクトホール形成用開口を２個備
えた反射板形成用遮光部が、行方向及び列方向にそれぞれ所定間隔ずつ隔てられて複数個
が整列配置されていることを特徴とする露光用マスク。
【請求項２】
前記各画素の反射板の行方向の幅をＬ１、前記反射板形成用遮光部の行方向の所定間隔
をＬ２としたとき、前記反射板形成用遮光部の行方向の幅は（Ｌ１）×２＋Ｌ２とされて
おり、かつ、前記２個のコンタクトホール形成用開口は、互いの行間距離はＬ１とされて
いるとともに列方向位置は同一とされていることを特徴とする請求項１に記載の露光用マ
スク。
【請求項３】
前記反射板形成用遮光部は、行方向には実質的に行方向の画素数の１／２、列方向には
実質的に列方向の画素数設けられていることを特徴とする請求項１又は２に記載の露光用
マスク。
【請求項４】
前記請求項１〜３のいずれかに記載の露光用マスクを使用し、以下の（１）〜（５）の
工程を経て所定のパターンの反射板及びコンタクトホールを形成する工程を含むことを特
徴とする反射部を有する液晶表示パネルの製造方法。
（１）コンタクトホールが形成された基板の表面に反射板形成材料層及びポジ型フォトレ
ジスト層を順次形成する工程、
（２）前記露光用マスクを使用し、所定位置で予め定めた所定時間露光する操作を行う工
程、
（３）前記露光用マスクを１画素分だけ行方向に相対的に移動させて前記予め定めた所定
時間露光する工程、
（４）露光されたフォトレジストを現像する工程、
（５）露出した反射板をエッチングする工程。
【発明の詳細な説明】
【技術分野】
【０００１】
本発明は、露光用マスク及びこの露光用マスクを用いた反射部を有する液晶表示パネル
の製造方法に関し、特にコンタクトホール及び反射板間の間隙形成時の露光を同時に行う
ことができる露光用マスク及びこの露光用マスクを用いた反射部を備えた液晶表示パネル
の製造方法に関する。
【背景技術】
【０００２】
近年、情報通信機器のみならず一般の電気機器においても液晶表示装置の適用が急速に
普及している。液晶表示パネルは、自ら発光しないために、バックライトと組み合わされ
た透過型の液晶表示パネルが多く使用されている。しかしながら、バックライトの消費電
力が大きいために、特に携帯型のものについては消費電力を減少させるためにバックライ
トを必要としない反射型の液晶表示パネルが用いられているが、この反射型液晶表示パネ
ルは、外光を光源として用いるために、暗い室内などでは見え難くなってしまう。そこで
、近年に至り特に透過型と反射型の性質を併せ持つ半透過型の液晶表示装置の開発が進め
られてきている（下記特許文献１、２参照）。
【０００３】
この半透過型の液晶表示装置に使用される液晶表示パネルは、一つの画素領域内に画素
電極を備えた透過部と画素電極及び反射板の両方を備えた反射部を有しており、暗い場所
においてはバックライトを点灯して透過部を利用して画像を表示し、明るい場所において
はバックライトを点灯することなく反射部において外光を利用して画像を表示しているの
で、常時バックライトを点灯する必要がなくなり、消費電力を大幅に低減させることがで
きるという利点を有している。
【０００４】
このうち、下記特許文献２に開示されているＭＶＡ方式の半透過型液晶表示パネルにつ
いて図６及び図７を用いて説明する。なお、図６（ａ）はＭＶＡ方式の半透過型液晶表示
パネル５０の概略的な構造を示す斜視図であり、図６（ｂ）は液晶層の液晶に電界を印加
したときの液晶の傾斜状態を示す概略図であり、図７は図６（ａ）のVII−VII断面図であ
る。
この半透過型液晶表示パネル５０においては、反射部５１と透過部５２との間には層間
膜により形成された傾斜面又は段差５３が設けられており、反射部５１と透過部５２とは
段差５３を介して連続している。この半透過型液晶表示パネル５０における第１基板５４
の画素電極５５には、画素電極５５が形成されていない領域としての第１開口領域（スリ
ット）５６が形成されている。
【０００５】
この第１開口領域５６が第１の配向規制手段を構成し、段差５３を挟んで反射部５１及
び透過部５２にまたがって形成されている。この結果、反射部５１における画素電極５５
ａと透過部５２における画素電極５５ｂとは半透過型液晶表示パネル５０の長手方向に延
びる一個のライン５７を介して相互に接続されている。
【０００６】
第２基板５８の対向電極５９には、反射部５１における画素電極５５ａ及び透過部５２
における画素電極５５ｂに対向して、それぞれ第２開口領域６０ａ、６０ｂが形成されて
いる。この第２開口領域６０ａ、６０ｂが第２の配向規制手段を構成する。第２開口領域
６０ａ、６０ｂは十字型のスリットとして構成されており、鉛直方向において、第２開口
領域６０ａの中心が画素電極５５ａの中心と一致するように、更に、第２開口領域６０ｂ
の中心が画素電極５５ｂの中心と一致するように配置されている。
【０００７】
この半透過型液晶表示パネル５０によれば、図６（ｂ）及び図７に示すように、液晶層
の液晶６１に電界を印加したとき、段差５３における第１開口領域５６上においては、液
晶は対向電極５９側におけるライン５７の方向に傾斜し、反射部５１及び透過部５２上に
おいては、対向電極５９における反射部５１に対応する領域の中心又は透過部５２に対応
する領域の中心に傾斜する。このように、半透過型液晶表示パネル５０においては、液晶
分子の配向方向が定まるので、視覚特性の悪化や応答速度の劣化を低減することができる
というものである。
【０００８】
上述のＭＶＡ方式の半透過型液晶表示パネル５０は、第１基板５４側の反射部５１と透
過部５２との間に層間膜による段差５３を設けて、周知のように反射部５１におけるセル
ギャップｄ１と透過部におけるセルギャップｄ２との関係がｄ１＝（ｄ２）／２となるよ
うにして、反射部５１における表示画質と透過部における表示画質が同じになるように調
整されているが、このようなセルギャップ調整のための構成を第２基板側に設けたＭＶＡ
方式の半透過型液晶表示パネルも知られている。
【０００９】
このセルギャップ調整のための構成であるトップコート層を第２基板側に設けた従来例
に係るＭＶＡ方式の半透過型液晶表示パネルの一例を図８〜図９を用いて説明する。なお
、図８はセルギャップ調整のためのトップコート層を第２基板側に設けた従来のＭＶＡ方
式の半透過型液晶表示パネルの第２基板を透視して表した１画素分の平面図であり、図９
は図８のIX−IX断面図である。
【００１０】
この半透過型液晶表示パネル１０Ｃにおいては、第１基板の透明な絶縁性を有するガラ
ス基板１１上には複数の走査線１２及び信号線１３がそれぞれ直接ないし無機絶縁膜１４
を介してマトリクス状に形成されている。ここで、走査線１２と信号線１３とで囲まれた
領域が１画素に相当し、スイッチング素子となるＴＦＴ（Thin Film Transistor）（図示
せず）がそれぞれの画素毎に形成されており、各画素のＴＦＴ等の表面はパッシベーショ
ン膜２３で被覆されている。
【００１１】
そして、走査線１２、信号線１３、無機絶縁膜１４、パッシベーション膜２３等を覆う
ようにして、反射部１５においては表面に微細な凹凸部が形成され、透過部１６において
は表面が平坦に形成された有機絶縁膜からなる層間膜１７が積層されている。なお、図８
及び図９においては反射部１５の凹凸部は省略してある。そして層間膜１７にはＴＦＴの
ドレイン電極Ｄに対応する位置にコンタクトホール２０が設けられ、それぞれの画素にお
いて、コンタクトホール２０上及び層間膜１７の表面には、反射部１５に例えばアルミニ
ウム金属からなる反射板１８が設けられ、この反射板１８の表面及び透過部１６の層間膜
１７の表面には例えばＩＴＯ(Indium Tin Oxide)ないしＩＺＯ（Indium Zinc Oxide)から
なる透明な画素電極１９が形成されている。
【００１２】
そして、反射部１５側においては、層間膜１７の反射板１８が存在する位置の下側に補
助容量線２１が配置され、また、平面視で、反射板１８及び画素電極１９は隣接する画素
の反射板及び画素電極とは接しないで、かつ走査線１２及び信号線１３とは同じく光漏れ
を防止するために若干重なるようにして形成されており、透過部１６側における画素電極
１９は隣接する画素の画素電極及び反射板とは接しないでかつ走査線１２及び信号線１３
と若干重なるように形成されている。
【００１３】
また、この半透過型液晶表示パネル１０Ｃにおいては、画素電極１９の反射部１５と透
過部１６の境界領域で液晶分子の配向を規制するためにスリット３３が設けられて、画素
電極１９は実質的に反射部１５の画素電極１９ａと透過部１６の画素電極１９ｂに分割さ
れており、反射部１５の画素電極１９ａと透過部１６の画素電極１９ｂとは幅の狭い部分
３４を介して電気的に接続されている。そして、画素電極１９の表面には全ての画素を覆
うように垂直配向膜（図示せず）が積層されている。
【００１４】
また、第２基板の透明な絶縁性を有するガラス基板２５の表示領域上に、それぞれの画
素に対応して形成される赤色（Ｒ）、緑色（Ｇ）、青色（Ｂ）のうち何れか一色からなる
ストライプ状のカラーフィルタ層２６が設けられている。また、反射部１５と透過部１６
とで同じ厚さのカラーフィルタ層２６を使用するため、反射部１５のカラーフィルタ層２
６の一部分に所定の厚さのトップコート層２７が設けられている。このトップコート層２
７は、反射部１５全体にわたって設けられており、その厚さは反射部１５における液晶層
の厚さ、いわゆるセルギャップｄ１が透過部１６のセルギャップｄ２の半分となるように
、すなわちｄ１＝（ｄ２）／２となるようにされている。
【００１５】
加えて、透過部１６に位置するカラーフィルタ層２６の表面の一部及び反射部１５に位
置するトップコート層２７の表面の一部にそれぞれ液晶の配向を規制するための突起３１
及び３２がそれぞれ設けられており、カラーフィルタ層２６、トップコート層２７及び突
起３１、３２の表面には共通電極及び垂直配向膜（いずれも図示せず）が順次積層されて
いる。
【００１６】
そして、前記第１基板及び第２基板を互いに対向させ、両基板の周囲にシール材を設け
ることにより両基板を貼り合せ、両基板間に負の誘電異方性を有する液晶２９を充填する
ことによりＭＶＡ方式の半透過型液晶表示パネル１０Ｃとなる。なお、第１基板の下方に
は、図示しない周知の光源、導光板、拡散シート等を有するバックライト装置が配置され
ている。
【００１７】
これらのＭＶＡ方式の半透過型液晶表示パネル５０、１０Ｃにおいては、画素電極と対
向電極間に電界が印加されない状態においては、液晶層の液晶分子は長軸が画素電極及び
対向電極の表面に対して垂直をなすように配向されているため、光が透過しない状態とな
り、しかも、画素電極と対向電極間に電界が印加されたときには光が透過するため、透過
部における光漏れはあまり表示画質に影響しなくなり、更には画素電極に設けられたスリ
ット及び対向電極側に設けられたスリットないしは突起からなる配向規制手段の存在によ
り、液晶分子は画素電極と対向電極間に電界が印加されたときに対向電極側に設けられた
配向規制手段に向かうように傾斜するため、視野角が非常に広くなるという特性を備えて
いる。
【００１８】
なお、上述のようなスリットないしは突起からなる配向規制手段を備えたＭＶＡ方式の
半透過型液晶表示パネルだけでなく、このような配向規制手段を有しないＶＡ（Vertical
Aligned)方式の半透過型液晶表示パネルやＴＮ（Twisted Nematic)方式の半透過型液晶
表示パネルないしは反射型液晶表示パネルも既に知られている。
【００１９】
このうち、従来のＶＡ方式のないしＴＮ方式の半透過型液晶表示パネル１０Ｄの第２基
板を透視して表した１画素分の平面図は図１０に示すとおりになる。なお、図１０におい
ては、スリットや突起等からなる配向規制手段を有しない以外は図８及び図９に示した従
来例のＭＶＡ方式の半透過型液晶表示パネル１０Ｃと実質的に同一の構成となるので、従
来例のＭＶＡ方式の半透過型液晶表示パネル１０Ｃと同一の構成部分には同一の参照符号
を付与してその詳細な説明は省略する。
【００２０】
また、従来の反射型液晶表示パネルは、透過部を有せず、実質的に１画素分の全面に亘
り反射板が設けられている以外は、図１０に示した半透過型液晶表示パネル１０Ｄと実質
的に同一の構成となるので、その具体的構成についての説明は省略する。
【特許文献１】特開２００３−１６７２５３号公報（特許請求の範囲、段落［００５０］〜［００５７］、図１）
【特許文献２】特開２００４−０６９７６７号公報（特許請求の範囲、段落［００４４］〜［００５３］、図１）
【発明の開示】
【発明が解決しようとする課題】
【００２１】
このような従来の各種方式の半透過型液晶表示パネルないしは反射型液晶表示パネルに
おいては、一般にこのコンタクトホール２０の形成は次のようにして行われる。まず最初
に、例えば図９に示したように、第１基板に形成された各画素のＴＦＴ等の表面を絶縁す
るために表示領域全体にわたって酸化硅素ないしは窒化硅素からなるパッシベーション膜
２３を被覆し、その後に反射部１５のみ或いは表示領域全体に亘りフォトレジスト等から
なる層間膜１７を塗布及び露光、現像し、層間膜１７のコンタクトホール部分の開口を形
成する。
【００２２】
更に、層間膜１７の表面に全体に亘りアルミニウム金属等からなる反射板形成材料の被
膜を形成し、これらの表面全体にスピンコート法によりフォトレジストを塗布した後、反
射板形成材料が所定のパターンの反射板１８となるように及びコンタクトホール部分に開
口ができるように設計したフォトマスクパターンを用い、露光及びエッチングすることに
より所定のパターンの反射板１８を形成するとともにコンタクトホール部分の開口を形成
する。次いで、層間膜、反射板及びコンタクトホールの表面全体に亘りＩＴＯやＩＺＯ等
の透明導電性材料からなる層を設け、フォトレジストを塗布した後、露光及びエッチング
することにより所定のパターンの画素電極１９を形成するとともに、コンタクトホール２
０において画素電極１９とスイッチング素子であるＴＦＴのドレイン電極Ｄとの電気的導
通を取っている。
【００２３】
しかしながら、反射板形成材料の被膜の表面に塗布されたフォトレジストは、スピンコ
ート法により成膜され膜表面が均一となるので、層間膜１７に形成されたコンタクトホー
ル部分の開口内にも入り込むことになり、露光すべきフォトレジストは反射板間に対応す
る位置の厚さよりもコンタクトホール部分の開口内の方が厚くなる。そのため、従来はコ
ンタクトホール部分の露光と反射板間の露光とを別々に行い、一例としてコンタクトホー
ル部分の露光時間は約１０秒であり、反射板間の露光時間は約５秒が採用されていた。
【００２４】
このように、従来は反射板形成材料上に設けられたフォトレジストを露光するに際し、
コンタクトホール部分の露光と反射板間の露光とが別々に行なわれているため、露光に時
間がかかるという問題点が存在している。この露光時間が長くなると、液晶表示パネルの
大量生産の場合には、露光時間が累積される結果、製造効率の低下として現れるため、各
工程における露光時間の短縮を成し遂げることは急務である。
【００２５】
本発明は、上述のような従来技術の問題点を解決すべくなされたものであって、その目
的は、マスクの構造を見直し、反射板形成材料上に塗布されたフォトレジストを露光して
所定のパターンの反射板及びコンタクトホール部の開口を形成する際に、コンタクトホー
ル部分の露光と反射板間の露光とを同時に行うことができるようにした露光用マスク及び
この露光用マスクを用いた反射部を備えた液晶表示パネルの製造方法を提供することにあ
る。
【課題を解決するための手段】
【００２６】
上記目的を達成するため、本願の露光用マスクの発明は、
作製すべき液晶表示パネルの行方向に隣接する２画素分の反射板形成領域を一体に覆う
大きさを有するとともにそれぞれの画素に対応するコンタクトホール形成用開口を２個備
えた反射板形成用遮光部が、行方向及び列方向にそれぞれ所定間隔ずつ隔てられて複数個
が整列配置されていることを特徴とする。
【００２７】
また、本願発明は、上記露光用マスクの発明において、前記各画素の反射板の行方向の
幅をＬ１、前記反射板形成用遮光部の行方向の所定間隔をＬ２としたとき、前記反射板形
成用遮光部の行方向の幅は（Ｌ１）×２＋Ｌ２とされており、かつ、前記２個のコンタク
トホール形成用開口は、互いの行間距離はＬ１とされているとともに列方向位置は同一と
されていることを特徴とする。この発明においては、前記行方向の各反射板間距離Ｌ２は
、作製すべき液晶表示パネルの信号線の幅と同じかそれよりも僅かに狭い範囲で選択する
ことができる。
【００２８】
また、本願発明は、上記露光用マスクの発明において、前記反射板形成用遮光部は、行
方向には実質的に行方向の画素数の１／２、列方向には実質的に列方向の画素数設けられ
ていることを特徴とする。
【００２９】
更に、本願の反射部を有する液晶表示パネルの製造方法の発明は、前記請求項１〜３の
いずれかに記載の露光用マスクを使用し、以下の（１）〜（５）の工程を経て所定のパタ
ーンの反射板及びコンタクトホールを形成する工程を含むことを特徴とする。
（１）コンタクトホールが形成された基板の表面に反射板形成材料層及びポジ型フォトレ
ジスト層を順次形成する工程、
（２）前記露光用マスクを使用し、所定位置で予め定めた所定時間露光する操作を行う工
程、
（３）前記露光用マスクを１画素分だけ行方向に相対的に移動させて前記予め定めた所定
時間露光する工程、
（４）露光されたフォトレジストを現像する工程、
（５）露出した反射板をエッチングする工程。
【発明の効果】
【００３０】
本発明は上述のような構成を備えることにより以下に述べるような優れた効果を奏する
。すなわち、本願の露光用マスクの発明によれば、最初の露光工程で反射板間に対応する
部分である反射板形成用遮光部間のフォトレジスト層の露光とコンタクトホールに対応す
る部分のフォトレジスト層の１回目の露光が行われる。このとき、露光時間を反射板間に
対応する部分のフォトレジスト層の露光に最適な時間を選択すると、コンタクトホール中
に存在するフォトレジスト層の厚さは反射板間に対応する部分のフォトレジスト層の厚さ
よりも厚いために露光不足となる。次いで、２回目の露光に際して１画素分行方向に相対
的に移動させて同様の露光を行うと、基板の行方向の両端部にそれぞれ位置する１つずつ
のコンタクトホール部分のフォトレジスト層は１回しか露光されないために露光不足とな
るが、その間のコンタクトホール部分に存在するフォトレジスト層は全て２回露光される
ために完全に露光されるとともに、反射板間に対応する部分のフォトレジスト層も完全に
露光される。
【００３１】
したがって、上記発明によれば、コンタクトホール中に存在しているフォトレジスト層
と反射板間に存在しているフォトレジスト層の露光を同時に行うことができ、従来例のよ
うにコンタクトホール中に存在しているフォトレジスト層の露光と反射板間に存在してい
るフォトレジスト層の露光とを分ける必要がなくなるため、露光に必要な時間を大幅に短
縮することができ、反射部を有する液晶表示パネルの製造効率が大幅に向上する。
【００３２】
なお、上記発明によれば、反射板形成用遮光部の列方向の間隔によって液晶表示パネル
の少なくとも走査線に沿った部分のフォトレジスト層の露光が行われるが、この部分のフ
ォトレジストには２回露光されるために露光オーバーとなる部分が存在するとしても、反
射板形成用遮光部の列方向の間隔をその分を見込んで定めておけば補正することができる
。また、上記発明においては、基板の行方向の両端側のそれぞれに１つずつ存在する反射
板間に対応する部分及びコンタクトホールに対応する部分の露光は、ダミーとして露光さ
せておけば、実質的に全てのコンタクトホール中に存在しているフォトレジスト層の露光
と反射板間に存在しているフォトレジスト層の露光を同時に行うことができるようになる
。
【００３３】
なお、反射板形成用遮光部の列方向の間隔を走査線の幅よりも僅かに狭い間隔とすれば
、各画素の全てが反射板に被覆された状態となるため、反射型液晶表示パネルを作製する
ことができ、また、この、反射板形成用遮光部の列方向の間隔を走査線の幅よりも大きく
すると、各画素が部分的に反射板に被覆された状態となるため、半透過型液晶表示パネル
を作製することができる。
【００３４】
また、上記発明によれば、各画素の反射板の行方向の幅をＬ１、反射板形成用遮光部の
行方向の間隔をＬ２としたとき、反射板形成用遮光部の行方向幅は（Ｌ１）×２＋Ｌ２と
なるため、このような条件を満たすようにマスクを設計すれば、本発明の露光用マスクを
１画素分ずつ行方向に移動させて露光させても位置ずれが生じないため、精度よく反射部
を有する液晶表示パネルを製造できるようになる。
【００３５】
また、上記発明によれば、コンタクトホール形成用開口間距離はＬ１とされているとと
もに列方向位置は同一とされているから、本発明の露光用マスクを１画素分だけ行方向に
移動させて露光させても、コンタクトホール部分に位置ずれが生じないので、コンタクト
ホール部分のフォトレジスト層の厚さが厚くても精度よく２回露光されるためにコンタク
トホール部分のフォトレジスト層の露光不足は解消され、高精度の反射部を有する液晶表
示パネルを製造できるようになる。
【００３６】
更に、本願の液晶表示パネルの製造方法の発明によれば、上記の効果を奏する液晶表示
パネルが得られる。この発明においては、露光用マスクと基板との相対的移動は、露光用
マスク（及び光源）を移動させてもよく、あるいは、基板を移動させてもよい。
【発明を実施するための最良の形態】
【００３７】
以下、実施例及び図面を参照して本発明を実施するための最良の形態を説明するが、以
下に示す実施例は本発明をここに記載したものに限定することを意図するものではなく、
本発明は特許請求の範囲に示した技術思想を逸脱することなく種々の変更を行ったものに
も均しく適用し得るものである。
【実施例１】
【００３８】
実施例１で使用した露光用マスク及びこの露光用マスクを用いた露光工程を図１〜図３
を用いて説明する。なお、図１Ａは実施例１で使用した半透過型液晶表示パネル製造用の
露光用マスクの２画素分の平面図であり、図１Ｂは実施例１で使用した半透過型液晶表示
パネル製造用の露光用マスクの全体の平面図である。また、図２は実施例１で製造した反
射板をエッチングした後の２画素分の平面図である。また、図３（ａ）〜図３（ｄ）は図
１Ａに示した露光用マスクを用いた各露光工程を示す図である。なお、図３においては、
露光用マスク１ａは、図１ＢのIII−III線断面図として表されている。更に、実施例１で
製造される半透過型液晶表示パネル１０Ａの具体的構成は図８〜図１０に示した従来例の
半透過型液晶表示パネル１０Ｃないし１０Ｄと実質的に相違はないので、図８〜１０に記
載された従来例の半透過型液晶表示パネル１０Ｃないし１０Ｄと同一の構成部分には同一
の参照符号を付与して、その詳細な説明は省略するとともに、必要に応じて図８〜１０を
援用して説明することとする。
【００３９】
実施例１で使用した半透過型液晶表示パネル製造用の露光用マスク１ａは、図１Ａ及び
図１Ｂに示すように、作製すべき液晶表示パネルの行方向に隣接する２画素分の反射板形
成領域を一体に覆う大きさの反射板形成用遮光部２ａと、この反射板形成用遮光部２ａの
所定位置に設けられた２個のコンタクトホール用開口５ａ１及び５ａ２がそれぞれ設けら
れている。反射板形成用遮光部２ａの行方向の幅は、半透過型液晶表示パネル１０Ａ（図
２参照）の反射板１８Ａ１及び１８Ａ２のそれぞれの行方向の幅をＬ１とし、行方向の前
記各反射板１８Ａ１及び１８Ａ２間の距離をＬ２とした場合、反射板１８Ａ１及び１８Ａ
２の全体を同時に覆うことができる長さ、すなわち、
（Ｌ１）×２＋Ｌ２
とされており、また、反射板形成用遮光部２ａの列方向の幅は予め定めた反射板の列方向
の長さＬ３とされている。
【００４０】
また、それぞれの反射板形成用遮光部２ａ間の行方向の間隔は前記各反射板１８Ａ１及
び１８Ａ２間の距離と同じＬ２とされている。更に、２つのコンタクトホール形成用開口
５ａ１及び５ａ２間の距離は、反射板１８Ａ１及び１８Ａ２のそれぞれの行方向の幅と同
じく、Ｌ１とされており、また、２つのコンタクトホール形成用開口５ａ１及び５ａ２列
方向位置は反射板１８Ａ１及び１８Ａ２の列方向上端から予め定めた距離Ｌ４だけ離れた
位置になるように設けられている。更に、反射板形成用遮光部２ａの列方向の間隔は予め
定めた反射板の列方向の間隔Ｌ５とされている。
【００４１】
この実施例１の露光用マスク１ａを用いて所定の露光処理は次のようにして行われる。
まず、図９の断面図に示されているように、第１基板の表面全体に層間膜１７を設け、こ
の層間膜１７の所定位置にコンタクトホール２０を形成する。このコンタクトホール２０
の形成位置は、反射板１８１及び１８２の行方向において中央部とした例を示すが、必ず
しも中央部である必要はない。次いで、この第１基板の表面全体をアルミニウム又は銀か
らなる反射板形成材料の層１８αで被覆し、この表面全体を例えばアクリル系のポジ型フ
ォトレジスト層９をスピンコーティング法により被覆する。そうすると、フォトレジスト
層は、反射板形成材料の表面全体に一定の厚さで被覆されるが、予め設けられているコン
タクトホール２０内にも浸入する。したがって、コンタクトホール２０内のフォトレジス
ト層の厚さは反射板形成材料の表面のフォトレジスト層の厚さよりも厚くなる。
【００４２】
この状態の第１基板を露光手段にセットした状態を図３（ａ）に示す。このとき、例え
ば露光用マスク１ａの最左端のコンタクトホール形成用開口５ａ１及び５ａ２の位置がそ
れぞれ予め第１基板のコンタクトホール２０１及び２０２が形成された位置に合致するよ
うに第１基板と露光用マスク１ａとの相対的位置関係を合わせてセットする。ただし、図
３（ａ）において露光用マスクをもう一画素分左方向へずらして、露光用マスク１ａのコ
ンタクトホール形成用開口５ａ２がコンタクトホール２０１に合致するようにセットして
もよい。
【００４３】
この状態で、各反射板１８Ａ１及び１８Ａ２間に存在しているフォトレジスト層の最適
な露光時間、例えば５秒間露光すると、露光された部分ｘは図３（ｂ）に示したとおりと
なる。このうち、最右端のコンタクトホール２０ｎ内に存在しているフォトレジスト層は
全く露光されないが、他のコンタクトホール２０１、２０２・・・内に存在しているフォ
トレジスト層は露光される。ただし、これらの、コンタクトホール２０１、２０２・・・
内のフォトレジスト層は厚さが厚いために部分的にしか露光されていない。
【００４４】
次いで、露光用マスク１ａと第１基板との相対的位置関係を１画素分だけ列方向へ移動
させた状態は図３（ｃ）に示したとおりとなる。この状態で、同じく各反射板１８Ａ１及
び１８Ａ２間に存在しているフォトレジスト層の最適な露光時間である５秒間露光すると
、新たに露光された部分ｙは図３（ｄ）に示したとおりとなる。すなわち、この２回目の
露光で、最左端のコンタクトホール２０１内に存在しているフォトレジスト層は露光され
ないが、他のコンタクトホール２０２〜２０ｎが露光され、このうち最右端のコンタクト
ホール２０ｎを除いて２回目の露光が行われる。従って、最左端のコンタクトホール２０
１及び最右端のコンタクトホール２０ｎ以外のコンタクトホール内に存在していたフォト
レジスト層は完全に露光させることができる。なおこのような方法で行うと両端コンタク
トホール２０１、２０ｎは露光が不十分となる。しかしながら通常液晶表示パネルには、
パネルを製造する際の静電気対策などのため実際の表示に用いる画素とは別に表示エリア
の端に所謂ダミー画素と言われる様な実際の表示に用いない画素を設ける領域が存在して
いるので、その領域にコンタクトホール２０１、２０ｎが位置するように製造すればよい
。
【００４５】
このような露光を行った後、フォトレジストを現像し、所定のエッチング液を用いて露
出した反射板形成材料の層１８αをエッチング処理すると、図２に示したように、各画素
毎に所定のパターンの反射板１８Ａ１、１８Ａ２が形成されるとともに、コンタクトホー
ル２０１、２０２内の反射板形成材料の層１８αもエッチングされて、ドレイン電極Ｄ（
図９参照）が露出する。その後、第１基板表面全体に亘ってＩＴＯ等からなる透明電極材
料を積層し、フォトリソグラフィー法により所定のパターンの画素電極を形成する。次い
で、第１基板の表面全体に配向膜を設け、従来例と同様にして、図９に示したように、別
途作製されたカラーフィルタ基板と対向配置するとともに両基板間に液晶を封入すること
により実施例１の半透過型液晶表示パネル１０Ａが完成される。
【００４６】
このように、実施例１で用いた露光用マスク１ａを使用すると、最初の露光工程で２画
素の両端側の反射板間に対応する部分のフォトレジスト層の露光と２つのコンタクトホー
ルに対応する部分のフォトレジスト層の１回目の露光が行われるが、露光時間を反射板間
に対応する部分のフォトレジスト層の露光に最適な時間を選択すると、コンタクトホール
中に存在するフォトレジスト層の厚さは反射板間に対応する部分のフォトレジスト層の厚
さよりも厚いために露光不足となる。しかし、２回目の露光では１画素分ずらして同様の
露光が行われるため、基板の行方向の両端部にそれぞれ位置する１つずつのコンタクトホ
ール部分のフォトレジスト層は１回しか露光されないために露光不足となるが、その間の
コンタクトホール部分に存在するフォトレジスト層は全て２回露光されるために完全に露
光される。
【００４７】
したがって、実施例１で使用した露光用マスク１ａを用いると、コンタクトホール中に
存在しているフォトレジスト層と反射板間に存在しているフォトレジスト層の露光を同時
に行うことができ、従来例のようにコンタクトホール中に存在しているフォトレジスト層
の露光と反射板間に存在しているフォトレジスト層の露光とを分ける必要がなくなるため
、露光に必要な時間を大幅に短縮することができ、半透過型液晶表示パネルの製造効率が
大幅に向上する。
【実施例２】
【００４８】
実施例２では、図４に示した露光用マスク１ｂを用い、反射型液晶表示パネル１０Ｂを
作製した。なお、図４Ａは実施例２で使用した反射型液晶表示パネル製造用露光用マスク
の２画素分の平面図であり、図４Ｂは実施例２で使用した反射型液晶表示パネル製造用の
露光用マスクの全体の平面図である。また、図５は実施例２で製造した反射板をエッチン
グした後の２画素分の平面図である。なお、実施例２で製造した反射型液晶表示パネル１
０Ｂの具体的構成は反射板が一画素分の領域全体を被覆している以外は実施例１の半透過
型液晶表示パネルの構成と実質的に同じであるので、図１及び図２に記載された実施例１
の半透過型液晶表示パネル１０Ａと同一の構成部分には同一の参照符号を付与してその詳
細な説明は省略することとし、更に、実施例２における露光用マスク１ｂを使用した各露
光工程は、図３に示した実施例１の場合と同様であるので、その詳細な説明も省略する。
【００４９】
実施例２で使用した反射型液晶表示パネル製造用露光用マスク１ｂは、図４に示すよう
に、作製すべき液晶表示パネルの行方向に隣接する２画素分の反射板形成領域を一体に覆
う大きさの反射板形成用遮光部２ｂを備え、この反射板形成用遮光部２ｂには２個のコン
タクトホール用開口５ｂ１及び５ｂ２がそれぞれ設けられている。
【００５０】
反射板形成用遮光部２ｂの行方向の長さは、反射型液晶表示パネル１０Ｂ（図４参照）
の反射板１８Ｂ１及び１８Ｂ２のそれぞれの行方向の幅をＬ１とし、行方向の前記各反射
板１８Ｂ１及び１８Ｂ２間の距離をＬ２とした場合、反射板１８Ｂ１及び１８Ｂ２の全体
を同時に覆うことができる幅、すなわち、
（Ｌ１）×２＋Ｌ２
とされており、また、反射板形成用遮光部２ｂの列方向の幅は予め定めた幅Ｌ３とされて
いる。
【００５１】
更に、２つのコンタクトホール形成用開口５ｂ１及び５ｂ２の位置は、反射板１８Ｂ１
及び１８Ｂ２のそれぞれの行方向の幅と同じく、Ｌ１とされており、また、２つのコンタ
クトホール形成用開口５ｂ１及び５ｂ２列方向位置は反射板１８Ｂ１及び１８Ｂ２の列方
向上端から予め定めた距離Ｌ４だけ離れた位置になるように設けられている。更に、反射
板形成用遮光部２ｂの列方向の間隔は、走査線の幅よりも僅かに狭く定められた反射板の
列方向の間隔Ｌ５とされている。
【００５２】
この実施例２の露光用マスク１ｂを用いた所定の露光処理は、図３に示した実施例１の
露光処理の場合と同様である。このような露光を行った後、フォトレジストを現像し、所
定のエッチング液を用いて露出した反射板形成材料の層１８αをエッチング処理すると、
図５に示したように、各画素毎に所定のパターンの反射板１８Ｂ１、１８Ｂ２が形成され
るとともに、コンタクトホール２０１、２０２内の反射板形成材料の層１８αもエッチン
グされて、ドレイン電極Ｄ（図９参照）が露出する。その後、第１基板表面全体に亘って
ＩＴＯ等からなる透明電極材料を積層し、フォトリソグラフィー法により所定のパターン
の画素電極を形成する。次いで、第１基板の表面全体に配向膜を設け、従来例と同様にし
て、図９に示したように、別途作製されたカラーフィルタ基板と対向配置するとともに両
基板間に液晶を封入することにより実施例２の反射型液晶表示パネル１０Ｂが完成される
。
【００５３】
この実施例２の露光用マスク１ｂを用いた場合においても、実質的に実施例１の場合と
同様の効果を奏する反射型液晶表示パネルの製造方法が提供される。なお、実施例１及び
２では、反射板及びコンタクトホール部の形成工程のみを詳細に説明したが、本発明は図
８〜図１０に示したような従来例のＭＶＡ方式の半透過型液晶表示パネルの場合だけでな
く、ＶＡ方式の半透過型液晶表示パネルの場合にも、更には、反射型液晶表示パネルの場
合にも、等しく適用することができる。
【図面の簡単な説明】
【００５４】
【図１】図１Ａは実施例１で使用した半透過型液晶表示パネル製造用の露光用マスクの２画素分の平面図であり、図１Ｂは実施例１で使用した半透過型液晶表示パネル製造用の露光用マスクの全体の平面図である。
【図２】実施例１で製造した反射板をエッチングした後の２画素分の平面図である。
【図３】図３（ａ）〜図３（ｄ）は図１Ａに示した露光用マスクを用いた各露光工程を示す図１のIII−III線に沿った断面図である。
【図４】図４Ａは実施例２で使用した反射型液晶表示パネル製造用露光用マスクの２画素分の平面図であり、図４Ｂは実施例２で使用した反射型液晶表示パネル製造用の露光用マスクの全体の平面図である。
【図５】実施例２で製造した反射板をエッチングした後の２画素分の平面図である。
【図６】図６（ａ）は従来のＭＶＡ方式の半透過型液晶表示パネルの概略的な構造を示す斜視図であり、図６（ｂ）は液晶層の液晶に電界を印加したときの液晶の傾斜状態を示す概略図である。
【図７】図６（ａ）のVII−VII断面図である。
【図８】セルギャップ調整のためのトップコート層を第２基板側に設けた従来の半透過型液晶表示パネルの第２基板を透視して表した１画素分の平面図である。
【図９】図８のIX−IX断面図である。
【図１０】別の従来例の半透過型液晶表示パネルの第２基板を透視して表した１画素分の平面図である。
【符号の説明】
【００５５】
１ａ、１ｂ    露光用マスク
２ａ、２ｂ    反射板形成用遮光部
３ａ１、３ａ２、３ｂ１、３ｂ２    スリット
５ａ１、５ａ２、５ｂ１、５ｂ２    コンタクトホール形成用開口
１０Ａ、１０Ｃ、１０Ｄ    半透過型液晶表示パネル
１０Ｂ    反射型液晶表示パネル
１１、２５    ガラス基板
１２    走査線
１３    信号線
１４    無機絶縁膜
１５    反射部
１６    透過部
１７    層間膜
１８、１８Ａ１、１８Ａ２、１８Ｂ１、１８Ｂ２    反射板
１８α    反射板形成材料の層
１９、１９ａ、１９ｂ    画素電極
２０、２０１、２０２    コンタクトホール
２１    補助容量線
２６    カラーフィルタ層
【図１】
2007279102.tif 000003
【図２】
2007279102.tif 000004
【図３】
2007279102.tif 000005
【図４】
2007279102.tif 000006
【図５】
2007279102.tif 000007
【図６】
2007279102.tif 000008
【図７】
2007279102.tif 000009
【図８】
2007279102.tif 000010
【図９】
2007279102.tif 000011
【図１０】
2007279102.tif 000012